(57)【要約】【課題】ポンプユニットにおいて、ポンプユニットにおける装置と架台の取付けを容易にする。【解決手段】合流管と合流管架台とを固定する為に、合流管の下部に全ネジボルト等のオネジ部を設け、合流管架台には、上部に孔を有した板状の部位を設け、孔を貫通させて合流管架台の取付部の上側に平座金及びナット、下方には平座金とバネ座金とナットを組付け、上方側にネジ部の余裕を設けた状態で前記上側のナット及び下側のナットを互いに締付け固定する。前記ネジ部の余裕長さは、合流管架台の高さ方向の寸法公差及び前記ポンプの吐出側に接続されるフロースイッチ、逆止弁、仕切弁、合流管のそれぞれの寸法公差による組立て寸法の誤差を吸収でき、かつポンプやバルブ類にかかる荷重を軽減できる数値とする。【選択図】図１
2008095623.tif 000002
【特許請求の範囲】
【請求項１】
複数台のポンプが共通ベース上に配置され、その吐出側を連結する合流管とそれを支える為の合流管架台を有するポンプユニットにおいて、合流管と合流管架台とを固定する為に合流管にオネジ部を有し、合流管架台上部には合流管のオネジ部を取付ける孔加工を施した部位を有し、合流管架台の取付部の上側に平座金及びナット、下方には平座金とバネ座金とナットを組付け、上方側にネジ部の余裕長さを設けた状態で前記上側のナット及び下側のナットを互いに締付け固定することを特徴とするポンプユニット。
【請求項２】
前記ネジ部の余裕長さは、合流管架台の高さ方向の寸法公差及び前記ポンプの吐出側に接続されるフロースイッチ、逆止弁、仕切弁、合流管のそれぞれの寸法公差による組立て寸法の誤差を吸収できる数値とすることを特徴とする、請求項１に記載のポンプユニット。
【請求項３】
前記ネジ部の余裕長さは、ポンプユニットのメンテナンス時に前記合流管オネジと合流管架台のナットによる固定部の下側のナットを緩め、上側のナットを締めることで、合流管が上方に持ち上げられて、ポンプやバルブ類にかかる荷重を軽減できる数値であることを特徴とする、請求項１に記載のポンプユニット。
【発明の詳細な説明】
【技術分野】
【０００１】
この発明は、建造物の給水装置や空調、冷暖房装置に用いられるポンプユニットに関する。
【背景技術】
【０００２】
従来、この種のポンプユニットにおいて、合流管と合流管架台との固定部は、直接接触した状態で固定されていたが、コスト面から双方の接触面は無加工である場合が多い為、高さ方向の寸法誤差が生じることが多く、合流管取付け時に、合流管架台と共通ベースもしくは、合流管と合流管架台の間にスペーサを挿入するなどの作業が必要となり、高さ方向の調整が困難であった。また、メンテナンス時においては、バルブ類にかかる荷重を除荷する為に、合流管をチェーンブロック等で上方に吊上げて、ポンプやバルブ類のメンテナンスを行う必要があった。
【０００３】
一方、ポンプユニットにおいて、例えば特開２０００−９３５４３号に開示されているように、呼水槽を支持する架台をそれぞれ分離した独立構造とすることにより、ユニット全体の高さを低減し、その構造をよりコンパクトなものとし、全体の重量を軽減する試みが為されている。
【特許文献１】特開２０００−９３５４３号
【発明の開示】
【発明が解決しようとする課題】
【０００４】
しかしながら、ポンプユニットにおける装置と架台の配置を変更するだけでは、ポンプユニットの組立て時に、合流管架台の寸法誤差が生じていれば、合流管を容易に取り付けることは出来ない。また、ユニットのメンテナンスにおいて、配管荷重が発生した場合、その除荷に特別な工具や機器を使用しなければならず、これらによるコストの削減が、ポンプユニット運転時の課題となっている。
【課題を解決するための手段】
【０００５】
そこでこの発明は、合流管と合流管架台とを固定する為に、合流管の下部に全ネジボルト等のオネジ部を設け、合流管架台には、上部に孔を有した板状の部位を設けておき、孔を貫通させて合流管架台の取付部の上側に平座金及びナット、下方には平座金とバネ座金とナットを組付け、上方側にネジ部の余裕を設けた状態で前記上側のナット及び下側のナットを互いに締付け固定するように構成する。
【０００６】
前記ネジ部の余裕長さは、合流管架台の高さ方向の寸法公差及び前記ポンプの吐出側に接続されるフロースイッチ、逆止弁、仕切弁、合流管のそれぞれの寸法公差による組立て寸法の誤差を吸収できる数値とする。
【０００７】
また、前記ネジ部の余裕長さは、ポンプユニットのメンテナンス時に前記合流管オネジと合流管架台のナットによる固定部の下側のナットを緩め、上側のナットを締めることで、合流管が上方に持上げられて、ポンプやバルブ類にかかる荷重を軽減できる数値であることが求められる。
【発明の効果】
【０００８】
このネジ部の余裕は上方側に５〜２０ｍｍ程度とすることで、２つのナットを上下に移動させることができ、合流管架台の寸法誤差が生じていても、合流管を容易に取付けることができ、結果的にポンプユニットの組立時間を大幅に短縮することができる。また、下側のナットを緩めて上側のナットを締め付けることで、合流管が上方に持ち上がる為、メンテナンス時に配管荷重を除荷することができる。
【実施例】
【０００９】
以下、この発明の実施の形態について図１を参照して説明する。図１は、この発明の実施の形態のポンプ3台を使用したポンプユニットを示す。ポンプ台数は複数台であり、３台以上の場合もある。共通ベース１７上にポンプ１とそのポンプを駆動する電動機が搭載されている。そして各々のポンプ吐出側には、フロースイッチ２、逆止弁３、仕切弁４等を取付け、合流管５に接続している。合流管５には、合流管に接続する給水配管の重量や水圧による荷重がかかる為、合流管架台１４にて支えをする。なお、図１中６は一般的なポンプユニットにおける圧力タンク、７は排水用バルブ、８は制御盤架台、９は圧力計、１０は圧力発信器、１１は制御盤、１２はナット、１３は平座金、１５はバネ座金、１６はナット、１７はポンプユニットの共通ベースを示す。
【００１０】
合流管５と合流管架台１４の固定の方法について、図３（ａ）にこの発明を用いた方法の詳細を示す。これと比較して、図３（ｂ）は、従来のＵボルトを使用した固定方法を示す。上下方向の寸法誤差はＵボルトのＲと配管径の寸法差及びＵボルト径と取付孔の差の融通分は対応できるが、その範囲は限られている。また図３（ｃ）は、従来の合流管架台に直接フランジで固定する方法で、上下方向の誤差はスペーサやシムで調整するもので、取付け工事において高さ方向の調整が困難である。
【００１１】
図３（ｂ）では、上下方向の寸法誤差が数ミリに制限され、図３（ｃ）では、スペーサやシムによる調整で組立て時間が掛かる。また、図３（ｂ）及び（ｃ）では、メンテナンスで、ポンプ１やフロースイッチ２、逆止弁３、仕切弁４等を取外す場合、合流管を持ち上げる機材が別に必要となる。
【００１２】
この発明では、図２（ｂ）の展開図のように合流管５の下部に全ネジボルト等のオネジ部を設ける。合流管架台１４には、上部に孔を有した板状の部位を設けておき、孔を貫通させておく、その上側に平座金１３及びナット１２、下方には平座金１３とバネ座金１５とナット１６を組付ける。図２（ａ）が組付けた状態である。上方側に５〜２０ｍｍ程度のネジ部の余裕を設けることで、２つのナットを上下に移動させることで、合流管架台１４の寸法誤差が生じていても、合流管５を容易に取付けることができる。また、下側のナットを緩めて上側のナットを締め付けることで、合流管５が上方に持ち上がる。
【図面の簡単な説明】
【００１３】
【図１】この発明の実施の形態のポンプ3台を使用したポンプユニットを示す。
【図２】（ａ）は合流管５の下部に全ネジボルト等のオネジ部を設けた状態で、（ｂ）は前記オネジ部の展開図を示す。
【図３】(ａ)は合流管５と合流管架台１４の固定の詳細を示す図、（ｂ）はＵボルトを使用した固定方法を示す図、（ｃ）は合流管架台に直接フランジで固定する方法を示す。
【符号の説明】
【００１４】
１  ポンプ
２  フロースイッチ
３  逆止弁
４  仕切弁
５  合流管
６  圧力タンク
７  排水用バルブ
８  制御盤架台
９  圧力計
１０  圧力発信器
１１  制御盤
１２  ナット
１３  平座金
１４  合流管架台
１５  バネ座金
１６  ナット
【図１】
2008095623.tif 000003
【図２】
2008095623.tif 000004
【図３】
2008095623.tif 000005